(57)【要約】【課題】ピラフ調理に適した炊飯ができる炊飯器において、ピラフ調理に適した炊飯シーケンスで炊飯し、炊飯量に関わらず、芯がなく、粒のバランスの良いピラフを炊飯できるようにする。【解決手段】被調理物を入れる鍋１を加熱手段２により加熱し、鍋１で炊飯するピラフ調理に適した炊飯シーケンスを記憶手段６に複数記憶し、沸騰を検知する第１の温度検知手段３の出力と鍋１の温度を検知する第２の温度検知手段５の出力を制御手段８に入力して加熱手段２を制御する。制御手段８は、ピラフ調理を選択する選択手段７によりピラフ調理を選択したとき、記憶手段６に記憶した炊飯シーケンスにより炊飯するよう構成する。【選択図】図１
2006149594.tif 000002
【特許請求の範囲】
【請求項１】
被調理物を入れる鍋と、前記鍋を加熱する加熱手段と、前記鍋の開口面を覆う蓋体と、前記蓋体下面の温度を検知する第１の温度検知手段と、前記鍋の温度を検知する第２の温度検知手段と、前記加熱手段を制御する制御手段と、ピラフ調理専用炊飯コースを選択入力する選択手段と、ピラフ調理専用炊飯シーケンスを記憶する記憶手段とを備え、前記ピラフ調理専用炊飯シーケンスが、前記第２の温度検知手段の検知温度を第１の所定温度に第１の所定時間保持する吸水工程と、第１の温度検知手段が第２の所定温度を検知するまで白米炊飯コースにおけるよりも小さい火力で加熱する加熱工程と、第２の温度検知手段が第３の所定温度を検知するまで白米炊飯コースにおけるよりも大きい火力で加熱する沸騰工程とを有する炊飯器。
【請求項２】
加熱工程において、第２の温度検知手段が第３の所定温度より高い場合は、加熱を停止し、再び、第１の温度検知手段が第２の所定温度を検知するまで、第２の温度検知手段が第３の所定温度より低い第４の所定温度で保持すべく加熱する請求項１記載の炊飯器。
【発明の詳細な説明】
【技術分野】
【０００１】
本発明は、ピラフ調理に適した炊飯ができる炊飯器に関するものである。
【背景技術】
【０００２】
近年、仕事をもつ主婦が増加しており、それに伴い、簡単調理志向が高まり、それに対応するために炊飯器を使用して、いろいろな調理メニューが考えられるようになってきている。
【０００３】
従来、ピラフを炊飯する炊飯器は、おこわメニューの炊飯制御と共用していた。ピラフ調理が選択された際、所定の条件で炊き上がり温度まで加熱した後、前記炊き上がり温度あるいは炊き上がり温度近傍の温度にて所定時間だけ保持し、その後蒸らしを実行することにより、炒めたお米のように初期温度が高くなってしまう米からピラフを調理する場合にも、早切れによる炊き上がり不足が生じるということがなくなるようにしたものであった。
【０００４】
図５Ａは、特許文献１に記載された従来のピラフ調理を炊飯制御する加熱パターンを示すものである。ここで、図５を参照しながら従来のピラフ調理を炊飯する炊飯器の動作を説明する。
【０００５】
図５に示すように、ピラフ調理が選択されると、所定の条件で炊き上がり温度Ｔ０（例えば、１１０℃）まで加熱された後、前記炊き上がり温度Ｔ０より高い温度Ｔ１（例えば、１１８℃）にて所定時間ｔ１（例えば、７分）だけ保持され、その後蒸らしが実行される。しかも、前記保持温度Ｔ１を、お焦げ付き炊飯を行うときの焦げ目付け温度Ｔ２（例えば、１３０℃）より低く、蒸らし温度Ｔ３（例えば、１０５℃）より高い温度に設定している。また、前記保持時間は、調理するピラフの量に応じて調整するようにしている。
【特許文献１】特開２００１−３３３８５８号公報
【発明の開示】
【発明が解決しようとする課題】
【０００６】
しかしながら、ピラフを調理する方法としては、予め炒めたお米にスープや具を加えて炊き上げる場合と、生米にスープや具を加えて炊き上げる場合との二つがある。炒めたお米の場合は生米の場合に比べ、油等を使用しているため、調味料による鍋底の昇温速度が速くなり、早切れする場合がある。前記従来の加熱パターンでは鍋内の温度が沸騰を検知した後の早切れによる炊き上がり不足が生じることはなくなるが、沸騰を検知するまでの早切れによる炊き上がり不足が生じることがあり、ピラフをうまく調理することはできないという課題を有していた。
【０００７】
本発明は、前記従来の課題を解決するもので、ピラフ調理に適した炊飯シーケンスで炊飯し、米の状態（例えば、炒めたお米や生米）に関係なく、炊飯量に関わらず、おいしいピラフを炊き上げることができる炊飯器を提供することを目的とする。
【課題を解決するための手段】
【０００８】
前記従来の課題を解決するために、本発明の炊飯器は、蓋の温度を検知する第１の温度検知手段と、鍋の温度を検知する第２の温度検知手段と、ピラフ調理専用炊飯シーケンスを記憶する記憶手段とを備え、前記ピラフ調理専用炊飯シーケンスが、前記第２の温度検知手段の検知温度を第１の所定温度に第１の所定時間保持する吸水工程と、第１の温度検知手段が第２の所定温度を検知するまで白米炊飯コースにおけるよりも小さい火力で加熱する加熱工程と、第２の温度検知手段が第３の所定温度を検知するまで白米炊飯コースにおけるよりも大きい火力で加熱する沸騰工程とを有するようにしたものである。
【０００９】
これによって、ピラフ調理に適した炊飯シーケンスで炊飯することができて、米の状態（例えば、炒めたお米や生米）に関係なく、炊飯量に関わらず、おいしいピラフを炊き上げることができる。
【発明の効果】
【００１０】
本発明の炊飯器は、ピラフ調理に適した炊飯シーケンスで炊飯し、米の状態（例えば、炒めたお米や生米）に関係なく、炊飯量に関わらず、おいしいピラフを炊き上げることができる。
【発明を実施するための最良の形態】
【００１１】
第１の発明は、被調理物を入れる鍋と、前記鍋を加熱する加熱手段と、前記鍋の開口面を覆う蓋と、前記蓋の温度を検知する第１の温度検知手段と、前記鍋の温度を検知する第２の温度検知手段と、前記加熱手段を制御する制御手段と、ピラフ調理専用炊飯コースを選択入力する選択手段と、ピラフ調理専用炊飯シーケンスを記憶する記憶手段とを備え、前記ピラフ調理専用炊飯シーケンスが、前記第２の温度検知手段の検知温度を第１の所定温度に第１の所定時間保持する吸水工程と、第１の温度検知手段が第２の所定温度を検知するまで白米炊飯コースにおけるよりも小さい火力で加熱する加熱工程と、第２の温度検知手段が第３の所定温度を検知するまで白米炊飯コースにおけるよりも大きい火力で加熱する沸騰工程とを有するものであり、ピラフを炊飯するとき、選択手段によりピラフ調理を選択することで、ピラフ調理に適した炊飯シーケンスで炊飯することができて、ピラフをおいしく炊飯することができる。
【００１２】
さらに、ピラフは特に、炒めたお米を使用する場合、吸水工程がなく、強い火力で炊き上がり温度まで加熱すると、調味料による鍋底の昇温速度が早くなるので、早切れする場合があるため、吸水工程の時間を追加する、あるいは温度を高めに設定することで、米にある程度吸水時間を設けることにより、加熱工程の昇温速度を遅らせることができるため、早切れを防止し、粒のバランスのよいピラフを炊くことができる。
【００１３】
さらに、加熱工程の火力が強すぎると、炒めたお米の場合、調味料による鍋底の昇温が早すぎて、早切れが生じて炊飯が終了し、生米状態になるため、加熱工程の火力を適度な火力に変更することで、鍋底の昇温速度を遅らせ、早切れを防止し、火通りの良いピラフに炊き上げることができる。
【００１４】
さらに、沸騰工程の火力が弱いと、沸騰工程の時間が長くなり、粒表面が崩れてバランスの悪いピラフとなるため、沸騰工程の火力を強くすることで、粒の崩れを防止し、粒のバランスの良いピラフに炊き上げることができる。
【００１５】
第２の発明は特に、第１の発明において、加熱工程において、第２の温度検知手段が第３の所定温度より高い場合は、加熱を停止し、再び、第１の温度検知手段が第２の所定温度を検知するまで、第２の温度検知手段が第３の所定温度より低い第４の所定温度で保持すべく加熱するようにしたものであり、炒めた米の場合は鍋底の昇温が早く、早切れが生じて炊飯が終了し、炊けない場合があるため、沸騰工程終了温度より低い温度で温度を保持しながら、加熱開始および停止を繰り返し、沸騰を検知するまで加熱を継続することにより、芯がなく、おいしいピラフを炊き上げることができる。
【００１６】
以下、本発明の実施の形態について、図面を参照しながら説明する。なお、この実施の形態によって本発明が限定されるものではない。
【００１７】
（実施の形態１）
図１は本発明の第１の実施の形態における炊飯器のブロック図を示したものである。
【００１８】
図２は、同炊飯器の断面図を示すものである。
【００１９】
図１および図２において、鍋１は被調理物を入れ、この鍋１を加熱手段２を構成する誘導加熱コイルの上部に載置し、加熱手段２により加熱して調理するようにしている。第１の温度検知手段３は、鍋１内の被調理物の沸騰を検知するもので、蓋体４の被調理物に対向した面に配置し、第２の温度検知手段５は鍋１の温度を検知するもので、鍋１の底面に接して配置している。
【００２０】
記憶手段６は鍋１で炊飯するピラフ調理に適した炊飯シーケンスを複数記憶しており、選択手段７はピラフ調理を選択するものである。制御手段８は、マイクロコンピュータなどで構成し、第１の温度検知手段３の出力と第２の温度検知手段５の出力を入力とし、インバータ回路などで構成した駆動手段９を介して加熱手段２を制御する。ここで、選択手段７によりピラフ調理を選択したとき、記憶手段６に記憶したピラフ調理に適した炊飯シーケンスにより炊飯するように構成している。
【００２１】
なお、制御装置１０は、記憶手段６、選択手段７、制御手段８、駆動手段９などで構成し、駆動手段９は、加熱手段２を誘導加熱コイルで構成している場合はインバータ回路などで構成し、加熱手段２をヒータで構成している場合は双方向性サイリスタやリレーで構成している。
【００２２】
ここで、記憶手段６に複数記憶したピラフ調理に適した炊飯シーケンスについて説明する。ピラフをおいしく炊くためには、米の状態（例えば、炒めたお米や生米）により、特に炒めたお米の場合は生米に比べ、油等の調味料による鍋底の昇温速度が早いため、吸水工程がなく、加熱工程に入ると、早切れが生じる場合があるので、吸水工程を追加する。また、油等の調味料により温度検知が早いため、温度をやや高めに設定することで、粒表面の崩れを防止し、粒のバランスのよいピラフに炊き上げる。吸水工程の時間が長すぎると、炒めたお米の場合に加熱工程で早切れが生じることがあるので、短めに設定している。加熱工程の火力が高いと、調味料による鍋底の昇温が早く、早切れが生じやすくなるので、若干低めに設定している。また、沸騰工程の通電率（火力）が低いと、粒表面が崩れてバランスの悪いピラフとなるため、沸騰工程の通電率（火力）を高めに設定している。ピラフの調理法によっては炒めたお米の場合は早切れが生じて炊けないことがあるため、加熱工程において沸騰工程終了温度より高い温度を検知した場合、加熱を停止し、沸騰工程終了温度より低い温度で温度を保持しながら、加熱開始および停止を繰り返し、沸騰を検知するまで加熱を継続するようにしている。
【００２３】
以上のように構成された炊飯器について、ピラフを炊飯する場合の動作を図３を参照しながら説明する。まず、炊飯を開始すると、電力Ｗで加熱する吸水工程に入る。吸水工程は、第２の温度検知手段５により検知した鍋１の温度が第１の所定温度θ１より低い場合は、加熱手段２を作動し、第１の所定温度θ１以上の場合は加熱手段２の作動を停止するように、加熱手段２をオンオフ制御しながら鍋１内の温度をθ１に保つ。
【００２４】
ピラフは米の状態（例えば、炒めたお米や生米）によって、特に炒めたお米の場合、生米に比べ、油等の調味料による鍋底の昇温が早くなるので、加熱工程において早切れが生じやすくなるため、吸水工程を追加する。吸水工程の時間が長すぎても、加熱工程で早切れが生じるため、吸水工程の時間を、たとえば３分に設定する。また、油等の調味料により温度検知が早くなるため、吸水工程の温度が低いと、吸水不足を生じるため、吸水工程の温度を、たとえば３℃高めに設定する。第１の所定時間Ｔ１経過後に吸水工程を終了し、加熱工程に入る。
【００２５】
加熱工程では、第２の温度検知手段５により所定の温度θ２を検知してから第１の温度検知手段３により第２の所定温度φ１を検知するまで、電力Ｗで加熱し、その際の温度上昇率から炊飯量を判定し、炊飯量に応じた火力で次のパワーダウン工程及び沸騰工程を行う。通常の白米炊飯コースの場合は、Ｗ１＞Ｗである第１の電力Ｗ１による加熱工程に入り、炊き上げ工程開始からパワーダウン工程にかけて一定時間経過するか、あるいは第１の温度検知手段３により第２の所定温度φ１を検知した時点で、Ｗ１＞Ｗである電力Ｗとし、以降の工程を続行させるが、ピラフ調理コースの場合は、特に炒めたお米の場合、加熱工程の火力が高い場合には油等の調味料による昇温が早すぎるため、早切れが生じやすくなり、粒の中が硬く、バランスの悪いピラフになるので、適度な火力に設定することにより、早切れを生じにくくなり、バランスの良いピラフに炊き上げることができる。ここでは、Ｗは１０００Ｗ、Ｗ１は１１００Ｗ、Ｔ１は２分５６秒、θ１は５６℃、θ２は８０℃とする。
【００２６】
一旦、パワーを引いてふきこぼれを防ぐパワーダウン工程を一定時間Ｔ２行った後、沸騰工程を行う。沸騰工程の通電率を高めに設定することにより、沸騰工程の通電率が低すぎることによって、粒がくずれてバランスの悪いご飯となるのをなくすことができる。
【００２７】
第２の温度検知手段５により第３の所定温度θ３を検知すると、沸騰維持工程を終了する。ここでは、Ｔ２は１分４０秒、θ３は１３０℃とする。その後は蒸らし工程に入り、一定時間の間に複数回の炊飯量に応じた加熱（追い炊き）を行う。所定時間Ｔ３経過すると、蒸らし工程を終了し、炊飯が終了する。ここでは、Ｔ３は８分とする。
【００２８】
以上の炊飯工程を通して、炊飯量に関係なく、ピラフをおいしく炊くことができる。なお、本実施例におけるＴ１、Ｔ２、Ｔ３、θ１、θ２、θ３、φ１、Ｗ、Ｗ１の値は実施の一例であり、状況に応じて数値を設定することができる。
【００２９】
また、鍋１を加熱する加熱手段２として誘導加熱方式を例として説明したが、ヒータ式およびガス炊飯器等においても、支障はないものである。
【００３０】
（実施の形態２）
図１に示す記憶手段６は、鍋１で炊飯するピラフ調理に適した炊飯シーケンスを記憶しており、制御手段８は、選択手段７によりピラフ調理を選択したとき、記憶手段６に記憶したピラフ調理に適した炊飯シーケンスにより炊飯するように構成している。
【００３１】
ここで、記憶手段６に記憶したピラフに適した炊飯シーケンスは、炒めたお米によっては、油等を使用することにより、加熱工程で早切れが生じる場合があるため、加熱工程において沸騰工程終了温度より高い温度を検知した場合、加熱を停止し、沸騰工程終了温度より低い温度で温度を保持しながら、加熱開始および停止を繰り返し、沸騰を検知するまで加熱を継続するようにしている。他の構成は上記実施例１と同じである。
【００３２】
図４は、本発明の第２の実施の形態の炊飯器の動作タイムチャートである。
【００３３】
上記構成において、ピラフを炊飯する場合の動作を図４を参照しながら説明する。なお吸水工程までの動作は上記実施例１の動作と同じであるので説明を省略する。
【００３４】
吸水工程が終了すると、加熱工程に入り、沸騰工程終了温度θ３より高い温度を検知した場合、加熱手段２による加熱を停止し、沸騰工程終了温度より低い第４の所定温度θ４で温度を保持しながら、加熱開始および停止を繰り返し、第１の温度検知手段３により第２の所定温度φ１を検知するまで、加熱を継続するようにしている。ここでは、θ４は１２３℃とする。
【００３５】
このことにより、沸騰するまでの早切れを防止し、芯がなく、おいしいピラフを炊き上げることができる。なお、本実施例におけるθ４の値は実施の一例であり、状況に応じて数値を設定することができる。
【００３６】
また、当然のことながら、さらに別の実施例として、これらの実施例のなかの一部の炊飯シーケンスのみを組み合わせて採用してもよい。
【産業上の利用可能性】
【００３７】
以上のように本発明にかかる炊飯器は、ピラフ調理に適した炊飯シーケンスで炊飯し、炊飯量に関わらず、芯がなく、粒のバランスの良いおいしいピラフを炊飯することが可能となるので、ピラフ専用調理器等の用途にも適用できる。
【図面の簡単な説明】
【００３８】
【図１】本発明の第１の実施例の炊飯器のブロック図
【図２】同炊飯器の断面図
【図３】同炊飯器の動作タイムチャート
【図４】本発明の第２の実施例の炊飯器の動作タイムチャート
【図５】従来のピラフを炊飯制御する加熱パターンを示す図
【符号の説明】
【００３９】
１  鍋
２  加熱手段
３  第１の温度検知手段
５  第２の温度検知手段
６  記憶手段
７  選択手段
【図１】
2006149594.tif 000003
【図２】
2006149594.tif 000004
【図３】
2006149594.tif 000005
【図４】
2006149594.tif 000006
【図５】
2006149594.tif 000007